(57)【要約】イオン化されているガスの平均自由行程よりも互いに近接して配置される電極を収容する膜（９９）で形成されたフィールドイオン化素子。膜は、支持部（１０６）および非支持部（１３０）を含む。
2005505100.tif 000002
【特許請求の範囲】
【請求項１】
システムであって、
イオン化装置を備え、前記イオン化装置が、少なくとも一つの開口部を有する基板と、前記基板の第１面に広がる第１の導電性電極および前記基板の第２面に広がる第２の導電性電極と、１μ未満の厚さを有し、前記少なくとも一つの開口部で前記第１および第２の導電性電極を分離するセパレータ絶縁素子とを備え、前記第１および第２の導電性電極は、前記場所で前記絶縁体の幅により分離されるシステム。
【請求項２】
前記第１および第２の導電性電極が、前記少なくとも一つの開口部で３００ｎｍ未満だけ分離されている請求項１のシステム。
【請求項３】
前記セパレータ絶縁素子が、誘電体である請求項１のシステム。
【請求項４】
前記セパレータ絶縁素子が、窒化シリコンにより形成されている請求項３のシステム。
【請求項５】
前記第１および第２の電極が、金、クロムまたはチタンのうちの一つにより形成されている請求項１のシステム。
【請求項６】
更に、前記イオン化装置からイオンを受け取る素子を備える請求項１のシステム。
【請求項７】
前記素子が、質量分析計システムである請求項６のシステム。
【請求項８】
前記質量分析計システムが、実質的に大気圧で動作する請求項７のシステム。
【請求項９】
前記質量分析計システムが、回転フィールドスペクトロメータを含む請求項８のシステム。
【請求項１０】
前記質量分析計システムが、イオンを検出するソリッドステート電極センサアレイを含む請求項８のシステム。
【請求項１１】
前記質量分析計システムが、飛行時間システムを含む請求項８のシステム。
【請求項１２】
前記素子が、電気化学装置である請求項７のシステム。
【請求項１３】
前記電気化学装置が、燃料電池である請求項１２のシステム。
【請求項１４】
前記素子が、小型推進器装置である請求項７のシステム。
【請求項１５】
前記小型推進器装置が、前記ガスをイオン化するとともに、前記イオン化ガスに力を加えて、前記推力を発生させる請求項１４のシステム。
【請求項１６】
前記小型推進器装置が、第１方向に推力を発生する第１の方法で活性化されるとともに、前記第１方向と異なる第２方向に推力を発生する第２の方法で活性化される請求項１４のシステム。
【請求項１７】
前記小型推進器装置が、前記イオン化膜にガスを提供するガス源、ならびに第１の荷電粒子を受け取る上部加速器グリッド、および第２の荷電粒子を受け取る下部加速器グリッドを含む請求項１４のシステム。
【請求項１８】
前記薄い部分が複数あり、前記薄い部分のそれぞれは、前記１μ未満だけ分離されている第１および第２の導電性電極により形成される請求項１の装置。
【請求項１９】
前記第１および第２の導電性電極が、分析されるガスの平均自由行程未満だけ分離されている請求項１の装置。
【請求項２０】
真空ポンプなしで動作する質量分析計システム。
【請求項２１】
更に、通過する材料をイオン化する膜を備え、前記膜が、分析される前記材料の平均自由行程未満の距離だけ分離されている電極を含む請求項２０の質量分析計システム。
【請求項２２】
更に、経路に沿ってイオンに力を加える静電偏向素子を備える請求項２０の質量分析計システム。
【請求項２３】
前記経路が、特定の螺旋形経路に沿って前記イオンを偏向する回転フィールドセルを含む請求項２２の質量分析計システム。
【請求項２４】
更に、特定場所に衝突するイオンを検出する素子を備える請求項２１の質量分析計システム。
【請求項２５】
前記素子が、ファラデーカップを含む請求項２４の質量分析計システム。
【請求項２６】
前記素子が、ソリッドステート電極アレイを含む請求項２４の質量分析計システム。
【請求項２７】
イオン化膜であって、
厚い支持部を備え、前記厚い支持部は、前記厚い支持部に形成される穴を持ち、前記厚い支持部の前記穴に広がる前記厚い支持部の表面に被覆された第１および第２の金属電極を有し、前記厚い支持部の前記穴内部の前記第１および第２の金属電極間の距離が、イオン化された材料の前記平均自由行程未満であるイオン化膜。
【請求項２８】
入ってくる試料を断片化することなく動作する質量分析計システム。
【請求項２９】
システムであって、
前記イオン種を断片化することなくイオンを形成するソフトイオン化膜と、前記膜を推力発生に用いることができる推進器システムとを備えるシステム。
【請求項３０】
イオン化膜を形成する方法であって、
十分な厚さの第１特定厚さを有して構造的完全性を維持する基板上に薄い誘電体材料の層を形成するステップと、
前記薄い誘電体材料の前記第１表面上に第１電極を形成するステップであって、前記第１電極は金属材料により形成されるステップと、
前記基板に少なくとも一個の穴を背面エッチングするステップと、
少なくとも一個の背面エッチング穴を含む前記基板の第２表面に第２電極を形成するステップであって、前記第２の電極の少なくとも一部が、前記薄い誘電体材料の第２表面にあるようにするステップと、
前記第２電極、薄い誘電体材料、および前記第１電極に穴を形成するステップであって、前記穴が、前記第１および第２電極が前記薄い誘電体材料の幅だけ分離している側面を有するステップとを含む方法。
【請求項３１】
前記薄い誘電体材料が、前記イオン化膜によりイオン化されるべく意図された前記ガスの平均自由行程未満の厚さを有する請求項３０の方法。
【請求項３２】
前記電極を形成するステップが、金を堆積するステップを含む請求項３０の方法。
【請求項３３】
前記薄い誘電体を形成するステップが、窒化シリコンを堆積するステップを含む請求項３２の方法。
【請求項３４】
前記薄い誘電体が、５００ｎｍ未満の厚さを有する請求項３０の方法。
【請求項３５】
前記薄い誘電体が、３００ｎｍ未満の厚さを有する請求項３０の方法。
【請求項３６】
前記第１と第２電極との間に１５Ｖ未満の電圧を印加して、前記第１と第２電極との間にＭＶ／ｍの範囲の電界を形成するステップを更に含む請求項３４の方法。
【請求項３７】
更に、質量分析計の一部として前記イオン化膜を用いるステップを含む請求項３０の方法。
【請求項３８】
更に、前記薄い誘電体にガスを通過させるステップと、前記膜により形成されるイオンの飛行時間を検出するステップとを含み、前記ガスの内容に関する情報を検出する請求項３６の方法。
【請求項３９】
前記飛行時間を検出するステップが、更に電界値と共鳴状態にあるイオンを検出するステップを含む請求項３８の方法。
【請求項４０】
前記検出するステップが、ソリッドステートセンサを用いて前記イオンを検出するステップを含む請求項３８の方法。
【請求項４１】
試料ガスを連続的にイオン化するイオン移動度スペクトロメータ。
【請求項４２】
試料ガスが通過するとともに、連続的にイオンを形成する膜を含む請求項４１のイオン移動度スペクトロメータ。
【請求項４３】
更に、イオン分散を制御する電場により駆動されるフィルタ電極を含む請求項４２のイオン移動度スペクトロメータ。
【請求項４４】
更に、前記フィルタ電極のためのソースを含み、前記ソースが掃引電場を含む請求項４３のイオン移動度スペクトロメータ。
【請求項４５】
前記ソースが、短い高電圧部および長い低電圧部で形成された波形を発生する請求項４４のイオン移動度スペクトロメータ。
【請求項４６】
前記ソースは、時間平均がゼロのフィールドを有する出力を発生する請求項４４のイオン移動度スペクトロメータ。
【請求項４７】
更に、特定の位置への前記イオンの通過を検出する検出素子を備える請求項４３のイオン移動度スペクトロメータ。
【請求項４８】
燃料電池であって、
ガスが通過する少なくとも一つの領域を有し、それを通過する前記ガスをイオン化するイオン化膜と、
通過する電気酸化ガスを受け取る陽極および陰極とを備える燃料電池。
【請求項４９】
前記少なくとも一つの領域のイオン化膜が、前記ガスの平均自由行程よりも近接配置された電極を有する前記膜に開口部を含む請求項４８の燃料電池。
【請求項５０】
前記領域の一つがある請求項４９の燃料電池。
【請求項５１】
複数の前記領域がある請求項４９の燃料電池。
【請求項５２】
前記イオン化膜が、イオン化装置を備え、前記イオン化装置が、少なくとも一つの開口部を有する基板と、前記基板の第１面に広がる第１の導電性電極および前記基板の第２面に広がる第２の導電性電極と、５００ｎｍ未満の厚さを有し、前記少なくとも一つの開口部で前記第１および第２の導電性電極を分離するセパレータ絶縁素子とを備え、前記第１および第２の導電性電極は、少なくとも一つの開口部で前記絶縁体の幅により分離される請求項４９の燃料電池。
【請求項５３】
イオン推進システムであって、
ガスが通過する少なくとも一つの領域を有し、通過する前記ガスをイオン化してイオンを形成するイオン化膜と、
前記イオンを加速して推力を形成する加速器素子とを備えるシステム。
【請求項５４】
前記加速器素子が、第１方向に動作して第１方向に推力を発生し、そして第２方向に動作して前記第２方向に推力を発生する請求項５３のイオン推進システム。
【請求項５５】
更に、個々の膜および加速器を合計した幾何的積分質量モーメントとして集合的に推力を形成する、前記複数の追加イオン化膜および加速器素子を備える請求項５３のシステム。
【請求項５６】
前記イオン化膜の少なくとも一つの領域が、前記ガスの平均自由行程よりも近接配置された電極を有する前記膜に開口部を含む請求項５３のシステム。
【請求項５７】
前記領域の一つがある請求項５３の燃料電池。
【請求項５８】
複数の前記領域がある請求項５３の燃料電池。
【請求項５９】
前記イオン化膜が、イオン化装置を備え、前記イオン化装置が、少なくとも一つの開口部を有する基板と、前記基板の第１面に広がる第１の導電性電極および前記基板の第２面に広がる第２の導電性電極と、５００ｎｍ未満の厚さを有し、前記少なくとも一つの開口部で前記第１および第２の導電性電極を分離するセパレータ絶縁素子とを備え、前記第１および第２の導電性電極は、少なくとも一つの開口部で前記絶縁体の幅により分離される請求項５３の燃料電池。
【請求項６０】
回転フィールド質量分析計であって、
イオン化膜であって、支持部および前記支持部間の非支持部を有し、前記非支持部が、特定試料の前記平均自由行程未満の距離により分離された電極を含むとともに、前記イオン化膜を貫通する穴を含むイオン化膜と、
前記イオン化膜からイオンを受け取り、前記イオンの特性を決定する回転フィールド質量分析計部分とを備える質量分析計。
【発明の詳細な説明】
【０００１】
関連出願の相互参照
本出願は、２００１年６月２５日出願の米国仮特許出願第６０／３０１，０９２号の特典を請求する。
【０００２】
背景
イオン化システムは多様な応用が可能である。例えば、質量分析計のための、ポンプのない低質量サンプリングのシステムを形成することが望まれている。
【０００３】
従来の質量分析計は、イオン断片を生成する「ハードな」技法を用いることが多いが、その技法では、分子の特定部分を強制的に除去して、断片化イオンを形成する。例えば、紫外線、放射線および／または熱電子によるイオン化技法により断片を生成する。これらの技法によっては、特に熱による技法では、フィラメント源の寿命を延ばすのに真空が必要である。
【０００４】
イオン化を用いる様々なシステムが周知である。四重極および扇形磁場型または飛行時間型システムは、試料をイオン化してその内容を決定する。これらの装置は、動作にもサイズにも限界がある。この種の装置は、比較的低質量のサンプリング範囲について動作するだけのことが多い。これらの装置には効率の問題もあり、つまりイオンが効率よく形成されない。
【０００５】
これらのシステムは、機器を通過する間のイオン衝突を避けるために著しい高真空度を必要とすることも多い。例えば、システムは、１０-6Ｔｏｒｒのような真空レベルが必要である。真空ポンプを備えてこの真空度を維持しなければならない。真空ポンプは電力を消費し、重くなり、そしてまた比較的漏洩に自由な環境も必要である。これは、このような装置のサイズを小型化したいという通常の要求にそぐわない。
【０００６】
イオン化システムが十分に小型化されるなら、イオン化の他の応用が魅力的なものとなろう。しかし、既存のイオン化システムは、生産における問題および困難さを抱えていて、特定用途での使用が妨げられている。
【０００７】
概要
本出願は、特殊イオン化膜について記載し、この膜により容易となる特殊イオン化膜の応用についても併せて記載する。
【０００８】
第１の応用では質量分析計の一部としてイオン化膜を用いる。
【０００９】
もう一つの応用では、別の用途にイオン化膜を用いる。本発明の一局面によれば、特定ガス、例えば考察中のガスの平均自由行程よりも近接させて電極を形成する。これにより自由空間のガス分子がイオン化される。記載するこのソフトなイオン化技法の別の用途には、本システムを回転フィールド質量分析計等の質量分析計システムに用いることが含まれる。本システムは飛行時間システムで用いてもよい。
【００１０】
一実施の形態で、真空を形成するかまたはイオンを駆動するためのポンプを含まない、ポンプレス質量分析計を説明する。
【００１１】
別の実施の形態では、電気化学システムのために本システムを用いる場合を説明する。別の応用では本システムを推進に用いる場合を説明する。
【００１２】
詳細な説明
ガスは高い電場でイオン化される。アバランシェアークがガスイオン化により生成される。しかし、分子間の「平均自由行程」が電極間隔より大きい場合には、イオン化しか発生しないことを本発明者は発見した。
【００１３】
図１は、各種ガスに対するパッシェン曲線を示す。これは様々な特性点におけるガスの破壊電圧を表す。各パッシェン曲線の左側かつ下側で、本明細書で説明する特殊膜を用いたガスのイオン化が起きる。本技法は、イオン化されるガスの分子構造を断片化せずにイオン化するという意味で「ソフト」である。これは、大きな有機化合物が、より小さな原子断片に分解されずに分析できるということを意味している。
【００１４】
膜の詳細を図２Ａ〜図２Ｃに示す。図２Ａおよび図２Ｂは、図２Ｃの膜の断面を示す。小型のイオン化装置９９は、比較的薄い膜１０５を貫通する小さな穴１００のアレイをマイクロマシン加工することにより形成する。膜１０５は、例えば、サブミクロンの厚さでもよい。基板自体の材質１０６は、シリコンまたは他の加工容易な材質でもよい。金属電極１２０、１２２は膜１００の両側に配置される。金属はクロムまたはチタンまたは金など任意の材質でよい。
【００１５】
膜９９の形成で、１３０のような複数の穴が底部１３２から形成される。穴は、図示のように穴の上部１３３に向かって概ねテーパを付けてもよい。穴１３０の上部１３３は、例えば、２から３μの寸法１３７であってもよい。開口部は、上部金属被覆１２０、および底部金属被覆１２２に形成してもよい。穴は、例えば収束イオンビーム加工（マスクなし処理）により形成してもよい。
【００１６】
基板材料１０６は、例えば、窒化シリコン、アルミナ、または同様な絶縁破壊値を有する他の任意の類似材料による誘電体層１３４も含む。誘電体層の厚さ１３６により、金属電極１２０と１２２との間の距離を設定する。誘電体の厚さは、２００〜３００ｎｍまででよい。誘電体は、実際は２００ｎｍより薄く、実際は任意の厚さでよく、５０ｎｍの厚さが可能である。
【００１７】
好ましいシステムでは、電極１２０、１２２間の距離は１μ未満である。この狭い間隔を維持すると、電極１２０、１２２間のポテンシャル差の各電圧に対してＭＶ／ｍの範囲の電界強度が生成される。
【００１８】
本発明者は、薄いサブミクロンの素子では膜がどうしても形成されないことに注目した。上記のように形成される膜は、膜両面の圧力差を支持したり、あるいは小さな機械的ショックに耐えるには余りにも脆弱である。本実施の形態では、より厚い支持基板部１０５が用いられ、そして膜に達するまで背面エッチングされる。この方法で基板を形成することにより、すなわち１００のような背面エッチングされた穴により隔てられた１０５／１０６のような比較的厚い基板部を有するので、電極間の比較的狭い間隔を保ちつつ、装置の構造を維持できる。
【００１９】
フィールドイオナイザアレイを用いる実施の形態をここで説明する。そのフィールドイオナイザアレイは、マイクロマシン加工されたフィールドイオナイザ膜でもよく、回転フィールド質量分析計と結合されている横方向加速器を有する。本実施の形態では、可動部分がない５０Ｔｏｒｒ未満の大気圧の場合には、自己サンプリングまたはポンプレス質量分析計を用いてもよい。紫外線、放射性イオン化、もしくは熱電子源は不要である。それだけではなくガス搬送システムも不要である。一実施の形態では、スペクトロメータは、複合ガスへの単一電荷ガスイオンから、１０億分の１のレンジで感度を有する大きなＤＮＡ断片まで広がる広大なダイナミックレンジを得てもよい。
【００２０】
このソリッドステート膜を質量分析計で用いる実施の形態を図３に示す。上記した形式のイオン化膜３００を用いてもよい。上記のように、この膜は、イオン化される材料の平均自由行程未満の間隔だけ離れている電極を含んでもよい。電極には電圧源からのエネルギが印加され、その電圧源はＭＶ／ｍ程度のエネルギを電極両端に提供する。
【００２１】
次いで、膜３００により生成されるイオンは、加速器グリッド３０４および他の静電部３０５によりイオン経路３１０に沿って静電偏向され収束される。
【００２２】
イオン経路の収束イオンは、キャビティセル３１５へ打ち込まれる。例えば、これは２×２×２０ｍｍ程度の小さなセルであってもよい。セル３１５内では、回転電場の周波数Ωが変化してイオン質量の所望範囲全体を走査する。電界値毎に、現在の電界値と共鳴する質量／電荷を有するイオンは、周知の螺旋幾何に基づいて質量分析計を通過する。図４に螺旋幾何を更に詳細に示す。共鳴状態にあるイオンは、ファラデーカップ収集器３２０に着地する。共鳴状態にないイオンは他の素子に衝突する。従って、収集器に衝突するイオンの数は、選択された電界値と共鳴するイオンの数を示す。可能な全レベルに亘って電界値を掃引することにより、試料の内容を検出できる。
【００２３】
図４は、螺旋幾何がイオンに関する情報にどのように関連しているかの詳細を示す。走査周波数はイオンの質量と反比例して変化する。ファラデーカップの衝突検出は、イオンに関する情報を検出する。
【００２４】
本システムでは、印加されたＲＦ電圧は１Ｖp-pと１３Ｖp-pとの間にあるが、一般的には１５Ｖ未満である。異なる検出では異なる周波数範囲を用いることになる。例えば、比較的軽いガス分子はＭＨｚ周波数で走査する。ＤＮＡ有機体などの更に大きな有機体は、ｋＨｚ周波数で走査する。一般に、軽い分子ほど高い周波数で走査する。重要なことは、本システムは如何なる磁場またはポンプも必要とせずに動作し得るということである。本システムは、静電偏向を用いてイオン経路を形成するので、低圧力で動作するとともに、イオンのための真空ポンプを必要としない。制御は、イオン源の部分的圧力は言うまでもないが、印加するＲＦ電界にのみ依存する。
【００２５】
質量分析計の代替の実施の形態を図５に示す。本装置は、電子イメージセンサを用いて粒子の衝突位置を検出する。材料５００は、フィルタを通って上記した形式のイオン化膜５０２へ入力される。次いで、イオン化された粒子は、陽極５０５を通過し、イオン光学系５１０を通り、そして最後に改良型アクティブピクセルセンサアレイ５２０の電極へ至る。アクティブピクセルセンサアレイは、米国特許第５，４７１，２１５号に記載されている形式のものであってもよく、また、従来のように各種のオンチップマトリックス処理を含んでもよい。本システムは、サブピクセル図心化および半径方向積分を有する、１０２４×１０２４ピクセルの電極センサを用いてもよい。アクティブピクセルセンサ自体は、１０-17アンペアのオーダーの感度を有する。ピクセル電流処理を加えることにより、更に２オーダーの感度等級が向上できる。
【００２６】
本システムは、最小可能イオン質量（１原子質量単位の質量を有する水素）から、１０，０００ＡＭＵを超える質量を有する大きな断片までのサンプリングに対して用いることができる。
【００２７】
本方法の質量分析計の形成により、この種の他の装置よりも小型、軽量、そして低価格で装置を形成することが可能になる。これは、例えば現場での生物医学的サンプリングなどの、あらゆる範囲の応用を可能にする。一つの応用は、飲酒検知器に小型質量分析計を使用することである。電子ビームフィラメントなどがないので、どのシステムコンポーネントも、例えば、５から７Ｔｏｒｒ以上の比較的高い圧力で動作できる。ファラデーカップ電位計イオン検出器で、サブフェムトアンペアレベルの感度が得られる。更に、装置は比較的小型で低消費電力に作成できる。例えば、完成装置は、重量１ｋｇで消費電力は１０Ｗである。サブリッター／秒のイオンポンプ、またはメンブレン式機械ポンプは、十分低い圧力の圧送を提供する。本システムは、吐息の各種特性を見出すための携帯型装置として用いられよう。例えば、吐息中の一酸化炭素の検出は、糖尿病のスクリーニング診断として用いられる。
【００２８】
走査は、０．４ＭＨｚと５０ＭＨｚとの間の周波数を掃引することにより実行できる。これは、全質量範囲をカバーするのに十分である。衝突過程は、イオンビームがシステムを通るときに、減衰式Ｉ−Ｉ0ｅｘｐ(-nQtotL)に基づいてイオンビームを減衰させる。ここで、ｎは背景ガス数密度、Ｌは経路長（２０ｍｍ）、そしてＱtotは中性ガスターゲットへの全イオン衝突損失効果による全断面積である。これらは、励起による弾性的散乱、非弾性的散乱を含み、Ｑelasticによる僅かな影響を処理する電荷交換は約１×１０-16ｍｍ2であり、ほとんどの種に対するＱinelasticは約１０-15ｍｍ2である。従って、代表的な減衰分は０．００４７である。最初のイオンビームは、ファラデーカップに２×１０-11アンペアの電流を流すので、電流はフェムトアンペア分解能を有する電位計で直ちに測定できる。閉鎖システムでは、入ってくる全蒸気がイオン化膜を通過して全てイオン化されると、熱速度で移動する分子は僅かであり、余り注意を払う必要はないであろう。
【００２９】
本システムの別の応用は、図６に示すような小型イオン移動度スペクトロメータでの使用に対するものである。従来のイオン移動度スペクトロメータは、シャッターゲートを用いる。これはイオンの短パルスを提供する。イオンの短パルスは、検出に利用できるイオン全体の約１％に制限されることが多い。しかし、かかる装置の分解能は、イオンパルス幅と関連している。相応に分解能を低下させないでイオンパルス幅を増大することはできない。
【００３０】
図６の改良型システムでは、試料ガスの全イオン化および連続イオン化、ならびにチャンバへの全イオンの連続導入が可能である。試料ガスは、上記形式のイオン化膜６０５へ、６００として導入される。一般に、イオン化膜６０５は単一穴のデバイスを含むか、またはデバイス内に多数の穴を有する。
【００３１】
膜からのイオン６１０は、イオン流として膜を出る。対照的に電子は膜の背面へ（つまり、膜の他の面へ）逆流して、入ってくるガスのイオン化に更に貢献する。原子または分子は、ガス搬送システム６２５によりスペクトロメータの本体を通って搬送される。ガス搬送システムは、上流の搬送ガス供給とベンチュリサンプラ、または下流の蠕動ポンプのいずれかを含む。
【００３２】
イオンは、イオンの横方向分散のために、交流および／または掃引ＤＣ電場を受けるフィルタ電極６１５に向かって吸引される。ＤＣ電場の繰り返し傾斜は、イオン種のスペクトル全体に亘って掃引する。
【００３３】
本装置の重要な特徴は、得られる高い電界強度である。例えば、１００，０００Ｖ／ｍ未満の中程度の電界強度では、大気圧および中程度の圧力でイオンの移動度は一定である。しかし、例えば、２００万Ｖ／ｍ以上の高電界強度では、イオンの移動度は非線形である。移動度は、高移動度および低移動度のイオンについて異なった変化をする。この変化は、例えば２０％である。従って、短時間で高電圧、および長時間で低電圧または負電圧を形成する波形をフィルタ電極に印加することにより、イオン種はフィルタ電極間で分配される。この波形は、時間平均電界がゼロになるように選択する。運転中は、イオンは搬送ガス流により横方向へ輸送される。低強度のＤＣ電界を他の電界と逆に加えてもよい。フィルタ電極へ印加されるこの電界は、特定イオン種の軌跡を直線化して、フィルタを通過できるようにする。他のイオン種は電極に衝突する。ＤＣ電界の掃引により完全なイオンスペクトルの検出が容易になる。
【００３４】
検出器電極６２０はフィルタ電極６１５の下流に配置する。選択イオンは軌跡が直線化され、そして、これら検出器の電極６２０は、直線化された軌跡のイオンを、イオンを検出する検出電極へ偏向する。検出電流によりイオン数の直接測定ができる。イオン数は蒸気濃度と事実上比例する。
【００３５】
このガス搬送システムが、この様に上流または下流の何れにあってもよいことは言うまでもない。
【００３６】
別の実施の形態では、本イオン化技法を用いて自由空間イオン推進器を形成する。
【００３７】
更に別の実施の形態では、燃料電池におけるこの種のイオナイザの使用を説明する。従来の燃料電池プロトン交換膜は、白金または他の電子酸化触媒を使用してプロトンの移動を容易にした。本システムでは、単数または複数の酸化ガス７００は、図７に示すような極端な高電界の下で膜７０５の穴を通過する。単数または複数の酸化ガス７００は、膜を通過する際に完全にイオン化される。ガス７０８がイオン化されると、正に帯電された相を持つ。ガス７０８は膜７１０に流れ着き、そこで陰極を通過する性質がガスの電気酸化状態により高められる。このように原子種が膜を通って転送されることにより、イオナイザ７０５と膜７１０との間の圧力が一部減少し、酸化ガス７０２がイオナイザの穴を通って更に流入する。イオナイザの電位は、代替として陰極膜に対して正を維持して、加速器グリッドを形成する陰極膜に打ち込む前に、速度を高めるためにイオンを加速してもよい。
【００３８】
図８に示す別の実施の形態では、小型イオン推進器の一部としてこのイオン化膜を用いる。これは推進ガスを用いて推進システムを形成する。高電場の下で上記した形式の膜８０５の穴に推進ガス８００を通過させてイオン化する。これはガスから正電荷イオン８１０を形成する。イオン８０９は、膜と加速器グリッド８１０との間の別の電場８０８に入る。この別の電場８０８は、イオンを加速して速度を高め、８２０のように推進器からイオンを発射する。
【００３９】
電子は膜の背後に逆行させられ、そこで弱い電場と磁場が直線的にかつ回転して周囲の電子ビームを加速し、推進器からの電子をイオンビームと同一ベクトルだが低速度で放出する。イオンおよび電子流は実質的に同一であるので、本システムは実質的に中性の電荷となる。
【００４０】
本システムは、石英などの誘電体を材料とする長さ１．５ｃｍ、直径２ｍｍの細管８２０を用いる。管８２０は、膜８０５の上部に共融的に接着してもよい。マイクロ加工された導電性のグリッドも同様に管の上部に固定される。膜の底部も推進器ハウジング８２５に共融的に接着される。そのハウジングは、別の加速グリッド８３０および磁石を含んでもよい。
【００４１】
その構造の外観を図９に示す。この図に、任意の特殊加速器グリッド電位のための管を示す。エンジンの推力は膜の穴を通るガス流により決定される。本システムには、上記のような小型イオン化管を複数用いて、構造面全体に分配させてもよい。これらの管は回路に接続することにより個別または集合的に配置してもよい。これらの管のそれぞれからのイオンは、外周グリッドまでの最小距離を表すベクトルに沿う局在的な電場の影響のもとで加速される。総合推力は、接続したすべての自由空間イオン推進器の幾何積分質量モーメントである。
【００４２】
本実施の形態では、双極イオン推進器はイオン化膜上の電極電位を逆にできるので、電子は膜を通過し、一方、イオンは膜の背後に逆行する。高速度イオンは推進器の前部から発射され、電子は推進器の後部から発射される。つまり、この様にエンジンを逆にできる。
【００４３】
真空で用いる場合、低圧ガスを十分な速度で膜の開口に導入して、イオン化フィールドにガスを搬入する必要がある。図１０は、ガスが真空中に広がるとともに、その分子が冷却されながら超音速にまで加速され、膜を通して導かれる様子の図を示す。一旦イオン化されると、イオン加速によりイオン背後に部分的な真空が生み出され、その部分的な真空は更に膜を通るガス流を促進する。膜背後に残るガスはイオン化され、その負のフィールドはこれらイオンを膜を通して導く。
【００４４】
本システムは、例えば、呼気分析器などの生物医学の用途、およびその他のシステムでの用途を含む多くの様々な用途を有する。それが持つ用途は、環境監視、個人監視、水質評価、自動車ＭＡＰ制御、爆発物検出、化学的および生物学的薬品検出、および人工嗅覚型製品分野である。
【図面の簡単な説明】
【００４５】
これらの局面および他の局面を付帯の図面を参照して以下詳細に説明する。
【図１】各種ガスに対するパッシェン曲線を示す。
【図２Ａ】本システムの特殊イオン化膜の詳細を示す。図２Ｂは、図２Ｃの２Ｂ−２Ｂ線断面を示し、図２Ａは、図２Ｂの穴の一つを拡大した詳細を示す。
【図２Ｂ】本システムの特殊イオン化膜の詳細を示す。図２Ｂは、図２Ｃの２Ｂ−２Ｂ線断面を示し、図２Ａは、図２Ｂの穴の一つを拡大した詳細を示す。
【図２Ｃ】本システムの特殊イオン化膜の詳細を示す。図２Ｂは、図２Ｃの２Ｂ−２Ｂ線断面を示し、図２Ａは、図２Ｂの穴の一つを拡大した詳細を示す。
【図３】ソリッドステート回転フィールド質量分析計のブロック図を示す。
【図４】ハーモニック双極型フィールドスペクトロメータを示す。
【図５】ソリッドステート用途に用いられる低圧回転フィールド質量分析計を示す。
【図６】イオン移動度スペクトロメータを示す。
【図７】電気化学装置で用いられるソリッドステートイオン化膜を示す。
【図８】推進システムとして用いられるイオン化膜を示す。
【図９】上下加速器グリッドを有するハウジングに納められた推進システムを示す。
【図１０】イオン化フィールドへガスを搬送する窓を示す。
【図１】
2005505100.tif 000003
【図２Ａ】
2005505100.tif 000004
【図２Ｂ】
2005505100.tif 000005
【図２Ｃ】
2005505100.tif 000006
【図３】
2005505100.tif 000007
【図４】
2005505100.tif 000008
【図５】
2005505100.tif 000009
【図６】
2005505100.tif 000010
【図７】
2005505100.tif 000011
【図８】
2005505100.tif 000012
【図９】
2005505100.tif 000013
【図１０】
2005505100.tif 000014
【国際公開パンフレット】
2005505100.tif 000015
2005505100.tif 000016
2005505100.tif 000017
2005505100.tif 000018
2005505100.tif 000019
2005505100.tif 000020
2005505100.tif 000021
2005505100.tif 000022
2005505100.tif 000023
2005505100.tif 000024
2005505100.tif 000025
2005505100.tif 000026
2005505100.tif 000027
2005505100.tif 000028
2005505100.tif 000029
2005505100.tif 000030
2005505100.tif 000031
2005505100.tif 000032
2005505100.tif 000033
2005505100.tif 000034
2005505100.tif 000035
2005505100.tif 000036
2005505100.tif 000037
2005505100.tif 000038
2005505100.tif 000039
2005505100.tif 000040
2005505100.tif 000041
2005505100.tif 000042
2005505100.tif 000043
【国際公開パンフレット（コレクトバージョン）】
2005505100.tif 000044
【手続補正書】
【提出日】平成15年1月23日(2003.1.23)
【手続補正１】
【補正対象書類名】図面
【補正対象項目名】図２Ａ
【補正方法】変更
【補正の内容】
【図２Ａ】
2005505100.tif 000045
【手続補正２】
【補正対象書類名】図面
【補正対象項目名】図４
【補正方法】変更
【補正の内容】
【図４】
2005505100.tif 000046
【手続補正３】
【補正対象書類名】図面
【補正対象項目名】図５
【補正方法】変更
【補正の内容】
【図５】
2005505100.tif 000047
【手続補正４】
【補正対象書類名】図面
【補正対象項目名】図６
【補正方法】変更
【補正の内容】
【図６】
2005505100.tif 000048
【手続補正５】
【補正対象書類名】図面
【補正対象項目名】図８
【補正方法】変更
【補正の内容】
【図８】
2005505100.tif 000049
【手続補正６】
【補正対象書類名】図面
【補正対象項目名】図９
【補正方法】変更
【補正の内容】
【図９】
2005505100.tif 000050
【手続補正７】
【補正対象書類名】図面
【補正対象項目名】図１０
【補正方法】変更
【補正の内容】
【図１０】
2005505100.tif 000051
【国際調査報告】
2005505100.tif 000052